(57)【要約】      （修正有）【課題】和草履や下駄等の和式の履物の鼻緒の表面に長手方向に滑動するスライダにより幅方向に開閉するファスナを装着したファスナ付き鼻緒を有する履物を提供する。【解決手段】ファスナ付き鼻緒を有する履物は、足裏を担持する台と、一本形状部材の両端を台の後穴で固定し、略中央部を略Ｖ字状に折り曲げて足甲の上に配設する鼻緒３と、該鼻緒３の折り曲げられた略中央部を一端側を環状部に通し、他端側を台の前穴で固定する親指と人差し指との間に挟まれる前坪とを備える。鼻緒３は、上面側で長手方向に延びる務歯１１ｂ及び該務歯１１ｂに沿って長手方向に往復移動し該務歯１１ｂを幅方向に開閉するスライダ１１ａとを有するファスナ１１を備える。【選択図】図６
0003222761.tif 000002
【実用新案登録請求の範囲】
【請求項１】
足裏を担持する台と、
一本形状部材の両端を前記台の後穴で固定し、略中央部を略V字状に折り曲げて足甲の上に配設する鼻緒と、
該鼻緒の折り曲げられた略中央部を一端側を環状部に通し、他端側を前記台の前穴で固定する親指と人差し指との間に挟まれる前坪とを備え、
前記鼻緒は、上面側で長手方向に延びる務歯及び該務歯に沿って長手方向に往復移動し該務歯を幅方向に開閉するスライダとを有するファスナを備える、ことを特徴とするファスナ付き鼻緒を有する履物。
【請求項２】
前記鼻緒は、長手方向全域に延びる務歯及び１つのスライダを有し、前記前坪の環状部が位置する前記略中央部から前記後穴の一方の位置まで該スライダで開閉する、ことを特徴とする請求項１に記載のファスナ付き鼻緒を有する履物。
【請求項３】
前記鼻緒は、長手方向全域に延びる１つの務歯と、前記前坪の環状部が位置する前記略中央部から後穴までの鼻緒の両側にそれぞれ１つのスライダを有し、それぞれのスライダは、前記略中央部から各後穴の位置まで鼻緒の両側別個にそれぞれのスライダで開閉する、ことを特徴とする請求項１に記載のファスナ付き鼻緒を有する履物。
【請求項４】
前記鼻緒の前坪は、長手方向に延びる一本の生地の両端部を略揃えて略中央部で折り返し、折り返した位置より下方の所定位置を縛ることで前記環状部を形成し、該環状部に鼻緒を通り、前記両端部を前記台の前穴に固定する、ことを特徴とする請求項１〜３のいずれか１項に記載のファスナ付き鼻緒を有する履物。
【考案の詳細な説明】
【技術分野】
【０００１】
本発明は、和草履や下駄等の和式の履物の鼻緒の表面に長手方向に滑動するスライダにより幅方向に開閉するファスナを装着したファスナ付き鼻緒を有する履物に関する。
【背景技術】
【０００２】
鼻緒は、足裏を担持する履物の台の踵部分両側に一対の後穴と、親指及び人差し指側の幅方向中央に１つの前穴とを有し、台の上で足が入る隙間を開けてそれぞれの後穴から前穴まで略Ｖ字状に配置されて足を固定する履物の部品である。鼻緒を有する履物には、概ね和式と西洋式のタイプがある。西洋式は、ビーチサンダル等のように鼻緒はそれぞれの後穴から延びる両側の鼻緒が前穴で一体に束ねられて前穴に直接固定されている。この西洋式の場合、製造工程が容易であり履いたときに鼻緒の弾性により幅方向に開くことでユーザの足形状に合わせて足を固定する。
【０００３】
この西洋式では、鼻緒が前穴に直接固定されているため日本人のように甲高の足の場合、指側の高さがとりにくい又は必要以上に鼻緒が開いてしまうことがあるという問題がある。このため、和式の履物における鼻緒は歴史的に、鼻緒を前穴に直接固定せず、前穴と鼻緒との間に追加の部材としての前坪を介在させ、前坪に鼻緒を連結し、その前坪を前穴に固定することで前坪分の高さを確保する構成を採用している。
【０００４】
しかしながら、和式履物の鼻緒の形式であっても、日本では寒冷期に足袋を重ね履きして使用することや、鼻緒の足指側高さの確保・変更のため定期的に前坪を交換するニーズがあった。また、ユーザの足は浮腫み等で日々変化するものであり、又足の締め付けについてもユーザの疲労度等日々要求が異なるものである。したがって、前坪で指側の高さを調節しても甲を固定する力は鼻緒の弾性の影響が大きく、低弾性の素材を鼻緒に使用した場合には日々の要求に対応できないことが多い。
【０００５】
さらに、和式履物の鼻緒では多湿の日本風土に対応すべく又、その沿革からも布地で形成し、太い棒状のものを使用しており、低弾性であるのみならず履物全体に与える装飾的意義が西洋式と同一又はそれ以上の大きさを有していると言える反面、その形式が固定化しており若者や外国人の使用拡大の阻害要因になっている。
【先行技術文献】
【特許文献】
【０００６】
【特許文献１】特開２００２−２０９６０９号公報
【特許文献２】特開２０１０−９２６０９号公報
【考案の開示】
【考案が解決しようとする課題】
【０００７】
本考案は、以上の事情に鑑みて創作されたものであり、和式等の前穴側の鼻緒を前坪で台と固定する形式の履物において足の固定状況を容易に微調節可能としながらもデザイン性を向上させたファスナ付き鼻緒を有する履物を提供することを目的とする。
【課題を解決するための手段】
【０００８】
上記目的を達成するために本考案は、足裏を担持する台と、一本形状部材の両端を前記台の後穴で固定し、略中央部を略V字状に折り曲げて足甲の上に配設する鼻緒と、該鼻緒の折り曲げられた略中央部を一端側を環状部に通し、他端側を前記台の前穴で固定する親指と人差し指との間に挟まれる前坪とを備え、前記鼻緒は、上面側で長手方向に延びる務歯及び該務歯に沿って長手方向に往復移動し該務歯を幅方向に開閉するスライダとを有するファスナを備える、ことを特徴とするファスナ付き鼻緒を有する履物を提供する。
【０００９】
本考案のファスナ付き鼻を有する履物は、一体の鼻緒を中央部で略V字状に折り曲げて中央部を別部材の前坪で留めて前坪を前穴に固定する和式の履物の新規技術である。特に鼻緒をファスナを取り付けている点が大きな特長である。上述したように和式の履物の場合、台の前穴に直接鼻緒の一端を固定する西洋式と異なり、前坪を介して鼻緒を前穴に固定する方式を採用する。これは甲高の日本人の足を考慮し、鼻緒と台との隙間を前坪で調整可能とした構成であり、この構成がゆえに鼻緒を太い形状にすることもできる。本考案ではこの太い鼻緒に注目し、鼻緒にファスナを装着し、幅方向に開閉できる構成にしている。和式の履物は甲高な日本人を考慮して元々前坪で鼻緒の高さを調整することができるが本ファスナ付き鼻緒を有する履物の構成であれば、ファスナを開閉し鼻緒の締め付けを調節することで当日の足の浮腫みなどに鑑みた微調節も容易に行うことができる。また、本ファスナ付き鼻緒を有する履物によれば、ファスナを開放すると鼻緒の内部デザインが表出されるため鼻緒の美観が変化し、これまでなかったデザイン性が大幅に向上する。
【００１０】
また、前記鼻緒は、長手方向全域に延びる務歯及び１つのスライダを有し、前記前坪の環状部が位置する前記略中央部から前記後穴の一方の位置まで該スライダで開閉する、ことができる。
【００１１】
この例では、１つの鼻緒のファスナのスライダでは一方の後穴から前坪までのみ開閉することを可能としている。したがって、１つのスライダで開閉されるのは、前坪を境界に幅方向一方側の鼻緒のみとなり、鼻緒の内外側デザインが不均一となり、斬新なデザインを提供することができる。また、上述した鼻緒の締め付けの微調節に必要な箇所のみ調節できながら、鼻緒単体の製造過程では１つの務歯及び１つのスライダで構成された通常の１ファスナと同様に製造でき、前坪で境界を設けるだけで足りるため製造工程も容易である。実際の足の形状及び履く際の便宜を考慮すると外側（又は内側）の鼻緒のみ調節ができれば十分であり、製造工程の容易さが優先される場合が多いという実情もある。
【００１２】
また、前記鼻緒は、長手方向全域に延びる１つの務歯と、前記前坪の環状部が位置する前記略中央部から後穴までの鼻緒の両側にそれぞれ１つのスライダを有し、それぞれのスライダは、前記略中央部から各後穴の位置まで鼻緒の両側別個にそれぞれのスライダで開閉しても良い。
【００１３】
前記鼻緒では、鼻緒の一方側のみスライダで開閉することができたが、本例では１つの務歯を有して略中央部が前坪で前穴に固定される鼻緒であっても、同じ務歯を滑動する別個のスライダを鼻緒の両側にそれぞれ設け、後穴から前坪までの鼻緒の両側を別個に開閉する構成にしている。この構成の場合、ユーザの履き方や鼻緒の緩み方、足の浮腫み方などに応じて履き心地を微調整できるとともに、ファスナ開閉のパターンに多様性が生まれ、デザイン性も向上する。
【００１４】
さらに、前記鼻緒の前坪は、長手方向に延びる一本の生地の両端部を略揃えて略中央部で折り返し、折り返した位置より下方の所定位置を縛ることで前記環状部を形成し、該環状部に鼻緒を通り、前記両端部を前記台の前穴に固定する場合もある。
【００１５】
本ファスナ付き鼻緒を有する履物の例によれば、前坪を一本の生地を折り畳んで環状部（輪）を作成し、環状部の下方を紐等で縛ってその環状部内に鼻緒を通し（又は鼻緒に巻き付けてから環状部を形成し）、端部を前坪に前穴に固定することとしている。前坪は環状部を接着で作成する場合や樹脂サンダルのように一体成形する場合も考えられるが、一本の生地を折り畳み紐等で縛って鼻緒と台を固定する構成にすれば、鼻緒が緩んだ場合や季節ごとの調整など大きな調整には前坪の縛り直しなどで対応し、足袋の厚みや重ね履き、足の浮腫み等の日々の微調整にはファスナの開閉で対応することができる。
【考案の効果】
【００１６】
本考案のファスナ付き鼻緒を有する履物によれば、足の固定状況を容易に微調節可能としながらもデザイン性を向上させたことができる。
【図面の簡単な説明】
【００１７】
【図１】考案のファスナ付き鼻緒を有する履物の実施形態例の写真図が示されている。
【図２】鼻緒の製造工程の中の生地の「縫い合わせ」工程後の鼻緒の一面（図２（ａ））、他面（図２（ｂ））の写真図を例示している。
【図３】鼻緒の製造工程の中の「返し」工程後の鼻緒の写真図を例示している。
【図４】図１の前坪近傍の拡大写真図が示されている。
【図５】鼻緒の製造工程の中の「返し」工程が完了した状態でにおける略断面図であり、（ａ）は、２枚の生地で形成する鼻緒の略断面図、（ｂ）にはファスナ付き鼻緒で採用する３枚の生地で形成する鼻緒の略断面図、（ｃ）では（ｂ）の点線領域Ａの拡大図が示されている。
【図６】図１において本ファスナ付き鼻緒のファスナを開放した状態を示す拡大写真図を示している。
【図７】ファスナの構造を示す略図である。
【考案を実施するための形態】
【００１８】
≪本考案の実施形態の例示≫
本考案のファスナ付き鼻緒を有する履物に実施形態例について図１〜図７を参照しつつ以下、説明する。
【００１９】
図１には本考案のファスナ付き鼻緒を有する履物の実施形態例１の写真図が示されているが、この写真図を参照して、まず従来の草履等の和式履物の基本的な構成について説明する。履物（以下、「草履１」とも称する）は、足を下方から担持する台２が設けられており、この台２は、足の裏が直接当たる面を形成する薄板状の天２ａと、天２ａの下面に接着等され、その下面が地面と接して体重を支持して草履１を横から見たときの側面を形成する巻２ｂとで構成される。巻２ｂは歩きやすさや足への負担を考慮して前方（足指側）から後方（踵側）に向かって高さが高くなっており、また天２ａと巻２ｂとで違うデザイン・色彩にすると側面視においてのデザイン性が向上する。
【００２０】
台２の上方には足の指から踵方向（長手方向）にわたって略Ｖ字状に鼻緒３が延びている。鼻緒３は、布地等一本の棒筒状部材であり（後述）、足指側に折り曲げられ、折り曲げ箇所で前坪４を介して台２に固定されている。前坪４は、一端側に環状部４ａを有し、環状部４ａに鼻緒３の折り曲げ箇所を通し、他端側を天２ａに穿けられた前穴５に挿入され、天２ａの裏面側（巻側）に結び目（図示せず）を設けることで鼻緒３を台２に固定している。この結び目を調節することで鼻緒３の折り曲げ箇所の高さを調節することができる。
【００２１】
また、鼻緒３の両端（後端）はそれぞれ、天２ａの踵側（後方）に穿けられた２つの後穴６に挿入され、前坪４を前穴５で固定するときと同様に、天２ａの裏面側に結び目（図示せず）を設けることで鼻緒３の両端を台２に固定している。
【００２２】
次に鼻緒３の製造工程及び構造について言及する。図２〜図３には鼻緒３の製造工程の途中段階での状態を示す写真図が例示されている。図２は、生地の「縫い合わせ」工程後の鼻緒３の一面（図２（ａ））、他面（図２（ｂ））の写真図、図３は「返し」工程後の鼻緒３の写真図を示している。
【００２３】
まず、鼻緒３の最初の製造工程は、「裁ち」工程であり、鼻緒３の細さに合わせて鼻緒３に用いる生地を裁断する。鼻緒３に用いられる生地は、生地を裏返しにして直線で縫う。鼻緒３は、丸鼻緒のような一枚の革を一周させた鼻緒や、２枚の生地を使った高原の鼻緒や３枚の生地を使った江戸妻等があり、従来式鼻緒の説明として、ここでは２種類の生地３ａ、３ｂが使用される例で説明する（なお、後述するように本ファスナ付き鼻緒を有する履物に使用する鼻緒は、少なくとも３枚の生地を使用している）。この生地は布地や革生地であり、細長の矩形に機械で裁断される場合や裁ち専用の定規や包丁による手作業で裁断する場合もある。この生地の「裁ち」工程の前段階として生地の図柄を描く工程を有することもあり、革生地の場合には後工程として革すき専用の機械で革の厚みを均一に揃えることもある。
【００２４】
次に、生地の「縫い合わせ」工程が行われる。「裁ち」工程で説明したように鼻緒３は２種類の生地３ａ、３ｂを組み合わせて作ることが一般的であり、それぞれの生地を長手方向に重ねてその幅方向両縁を縫い合わせる（縫い目３ｃ参照）。縫い合わせた２種類の生地面３ａ、３ｂがそれぞれ図２（ａ）（ｂ）に示されている。このとき後工程となる「返し」工程（後述）ができるように両端の縫い合わせを行っていないことが図２からもわかる。なお、「縫い合わせ」工程では最終的な鼻緒３の表面になる面の裏面が表になるように縫い合わせており、図２（ａ）（ｂ）でそれぞれ表面として視認できる面は、裏面である。
【００２５】
「縫い合わせ」工程の次には、「返し」工程が行われる。「返し」工程では、「縫い合わせ」工程で裏返しに縫い合わされた生地３ａ、３ｂを表に返す工程である。この工程では、生地３ａ、３ｂの表面にシワや傷ができないよう専用の道具で行なう。図３では図２の生地３ａ、３ｂについて「返し」工程が行われた後の状態を示す写真図であり、右側端部近傍を拡大して示している。「返し」工程後の生地３ａ、３ｂは、略筒形状（略管形状）になっており、縫い目３ｃも内側になっている。この工程が終わると鼻緒形状（横緒）になっていることが図３からもわかる。なお、「返し」工程が難しい場合には、上記「縫い合わせ」工程において空縫いを行い、「返し」工程の後に本縫いする場合もあり得る。
【００２６】
「返し」工程が終わると、「芯通し」工程が行われる。「芯通し」工程は、鼻緒３の端部から芯を通していき、図示しないが芯にはボール紙、綿、芯縄を紙で包んだものを使う。「芯通し」工程は最終の鼻緒３及び履物の履き心地に影響するため表面のシワや凹凸が発生しないように留意する。「芯通し」工程で挿入する芯の両端には、後述する後穴６に挿入して天２ａに固定するための紐状部材が鼻緒３（鼻緒本体）から延びている。
【００２７】
鼻緒３が完成すると図１に示すように鼻緒３の中央部で前坪４の一端側が取り付けられ、足指が入るように天３ａと高さ方向に隙間を開け、前坪４が親指と人差し指との間に入るように前坪４の他端を前穴５に挿入して固定する。図４には図１の前坪４近傍の拡大写真図が示されている。図４からもわかるように前坪４は、前述した鼻緒３の「裁ち」工程〜「縫い合わせ」工程と同様に生地を略筒状部材とし、これを鼻緒３の略中央部の周囲に巻き付けて鼻緒３に固定する。なお、前坪４は鼻緒３と前穴５との連結部材であり、足指の間に入るものであるため鼻緒３のように「芯通し」工程がない場合が多い。
【００２８】
前坪４の一端は、略中央部の周囲に巻き付けた状態では図４からもわかるように鼻緒３の略中央部が通される環状部４ａを形成しており、鼻緒３としっかり固定されるように鼻緒３との境界近傍で巻き付けられた前坪４の端部同志をしっかりと縫い合わせている（縫い目４ｂ参照）。鼻緒３と固定された前坪４は、縫い目４ｂの下部４ｃに足指の高さ分の距離を設けて天２ａの前穴５に挿入され、端部を結ぶ等して天２ａの裏側（地面側（図示せず））で固定される。この前坪４の下部４ｃの距離を調節することで足指のキツさや緩みが調節される。このようにして従来の和式履物の鼻緒３は、天２ａ（台２）に装着される。
【００２９】
次に、本ファスナ付き鼻緒を有する履物の特長である、ファスナ付き鼻緒１について説明する。従来の鼻緒３についての説明で参照した図１の写真図は、本ファスナ付き鼻緒を有する履物１を示しており、上述の説明では従来の鼻緒について参照番号３で説明してきたが、ここでは本ファスナ付き鼻緒を有する履物における鼻緒も理解の便宜上、同一の参照番号３に統一し、各部分についても同種の部材は同一の参照番号で表記・説明する。
【００３０】
上述した「裁ち」工程〜「返し」工程では、２枚の生地３ａ、３ｂで鼻緒３は、形成したが、本ファスナ付き鼻緒３では、３枚の生地３ａ、３ｂ、３ｄで形成されている。図５では、「返し」工程が完了した状態でにおける略断面図が示されている。詳細には、図５（ａ）は、上述してきた２枚の生地３ａ、３ｂで形成する鼻緒３の略断面図、図５（ｂ）では本ファスナ付き鼻緒３で採用する３枚の生地３ａ、３ｂ、３ｄで形成する鼻緒３の略断面図、図５（ｃ）では図５（ｂ）の点線領域Ａの拡大図が示されている。
【００３１】
図５（ａ）及び図２〜図３に示すように２枚の生地３ａ、３ｂで形成する鼻緒３の場合、「返し」工程が完了した状態では上側の生地３ａと下側（台側）の生地３ｂとの両者の縫い目３ｃが内部に突出する形で１つの管状部材を形成している。一方、図５（ｂ）に示すように本ファスナ付き鼻緒３では、上側の生地３ａと下側の生地３ｂとで略筒状部材（略管状部材）を構成している点は（ａ）と同様であるが、これに加えて上側の生地３ａが作る内部空間を仕切るように生地３ｄが設けられている。この生地３ｄは、「縫い付け」工程で上側の生地３ｂに縫い付けられ、生地３ｄが生地３ａに縫い付けられた状態で、生地３ａを生地３ｂに縫い付けている。この「縫い付け」工程が完了した状態で、生地３ａと生地３ｂとのみを裏返す「返し」工程が行ったものが図５（ｂ）である。そして、「芯通し」工程では生地３ｄと生地３ｂとで作る内部空間に芯が通されることとなる。
【００３２】
また、本ファスナ付き鼻緒３では、鼻緒３の上部表面側の生地３ａの幅方向中央（図５（ｂ）の参照番号３ｆ近傍）に長手方向に延びるファスナ１１を取り付けている。図６は、図１において本ファスナ付き鼻緒３のファスナ１１を開放した状態を示す拡大写真図を示している。ここで、ファスナ１１の構造を図７を参照しつつ概説する。
【００３３】
ファスナ１１は概ね、スライダ１１ａ、務歯（エレメント）１１ｂ、テープ１１ｃ、上止１１ｄ、及び下止１１ｄで構成される。スライダ１１ｃは、務歯１１ｂに沿って上止１１ｄから下止１１ｄまで滑動し、ファスナ１１を開閉するときに務歯１１ｂに噛合わせたりする機能を有する。また、務歯１１ｂは、長手方向に延びる一対のテープ１１ｃそれぞれに沿って互いの務歯頭部（参照番号付さず）が対向するように取り付けられ、務歯頭部が噛み合うとファスナ１１が閉鎖され、噛み合いが外れるとファスナ１１が開放される。これらの構成部品によりファスナ１１は、スライダ１１ａを閉鎖方向（図７の上方向）に動かすとテープ１１ｃを幅方向内側（図７の矢印Ａ方向）に湾曲させて歯車の原理によって務歯１１ｂを噛み合わせると閉鎖され、スライダ１１ａを開放方向（図７の下方向）に動かすとテープ１１ｃを幅方向外側（図７の矢印Ｂ方向）に湾曲させて務歯１１ｂの噛み合いを外し、開放される。
【００３４】
再び図６を参照する。本ファスナ付き鼻緒３では、鼻緒３の生地３ａの長手方向に沿ってファスナ１１が取り付けられており、スライダ１１ａの滑動させることで務歯１１ｂが噛み合い又は噛み合いが外れてファスナ１１が開閉する。ファスナ１１が開放されると図５（ｂ）でも説明した内部の生地３ｄが視認できるようになり、ファスナ１１が閉鎖されると生地３ｄが隠れ、表面には生地３ｂのみが表れる。したがって、ファスナ１１の開閉によってデザインを変更することができる。また、ファスナ１１の開閉状態によっては生地３ｂが幅方向に開閉されるため、この生地３ｄと縫い合わされている天２ａ側の生地３ａも伸び・縮みし、鼻緒３全体として足への締め付けを調節することができる。
【００３５】
なお、図１、図４及び図６に示すように本ファスナ付き鼻緒３のファスナ１１は、鼻緒３の製造工程で長手方向全体にわたって取り付けられていても良く、端部から略中央部の前坪４が取り付けられる位置までファスナ１１を設け、鼻緒３の左右でデザインを異とするように構成することもできる。この場合、足の締め付けへの影響が大きい鼻緒３の外側にファスナ１１を設けることが望ましい。
【００３６】
以上、本考案におけるファスナ付き鼻緒を有する履物についての実施形態およびその概念及び周辺技術について説明してきたが本考案はこれに限定されるものではなく実用新案登録請求の範囲および明細書等に記載の精神や教示を逸脱しない範囲で他の変形例、改良例が得られることが当業者は理解できるであろう。
【符号の説明】
【００３７】
１…ファスナ付き鼻緒を有する履物
２…台
２ａ…天
３…ファスナ付き鼻緒
３ａ、３ｂ、３ｄ…生地
３ｃ、３ｅ…縫い目
４…前坪
４ａ…環状部
５…前穴
６…後穴
１１…ファスナ
１１ａ…スライダ
１１ｂ…務歯（エレメント）
【図１】
0003222761.tif 000003
【図２】
0003222761.tif 000004
【図３】
0003222761.tif 000005
【図４】
0003222761.tif 000006
【図５】
0003222761.tif 000007
【図６】
0003222761.tif 000008
【図７】
0003222761.tif 000009